(57)【特許請求の範囲】
【請求項１】
デジタルインタフェースを通して信号がデジタル形態の画像表示装置またはオーディオ機器である他の機器の特性情報を要請する第１段階と、前記要請により特性情報が受信されているかを判別する第２段階と、前記他の機器と連係する動作命令の受信時、前記第２段階の判別結果により、前記特性情報が受信されていない場合、前記要請された動作により提供するデータを前記他の機器に対して事前に定義された１のフォーマットの形態で転送する第３段階とを含み、
前記第３段階は、前記転送されるデータの前記１のフォーマットおよび支援可能な他のフォーマットを知らせる案内メッセージと一緒に前記提供するデータを転送することを特徴とするデジタルインタフェースを通して連結された機器間のデータ転送方法。
【請求項２】
前記第３段階後、ユーザからの要請による前記支援可能な他のフォーマットで前記提供するデータを変換して転送する第４段階をさらに含むことを特徴とする請求項１に記載のデジタルインタフェースを通して連結された機器間のデータ転送方法。
【請求項３】
前記他の機器は、入力信号がデジタル形態である画像表示装置またはオーディオ機器であることを特徴とする請求項１または２に記載のデジタルインタフェースを通して連結された機器間のデータ転送方法。
【請求項４】
前記他の機器に対して事前に定義された前記１のフォーマットは、２チャンネルの線形パルスコード変調（ＬＰＣＭ）方式のオーディオデータフォーマットであることを特徴とする請求項１または２に記載のデジタルインタフェースを通して連結された機器間のデータ転送方法。
【請求項５】
デジタルインタフェースを通してデータを送受信する接続手段と、
前記接続手段を通して受信される信号がデジタル形態の画像表示装置またはオーディオ機器である他の機器の特性情報を記憶する記憶手段と、データ記憶媒体からビデオ及び／またはオーディオデータを獲得する獲得手段と、
前記獲得手段により獲得されたビデオ及び／またはオーディオデータを前記接続手段を通して前記他の機器に転送する転送手段と、
前記他の機器と連係する動作命令の受信時、前記記憶手段に前記他の機器の特性情報が受信されているかを判別し、この判別結果により、前記特性情報が受信されていない場合、前記他の機器に提供するデータを前記他の機器に対して事前に定義された１のフォーマットの形態に変換して転送する制御手段と
を含み、
前記制御手段は、前記転送されるデータの前記１のフォーマットおよび支援可能な他のフォーマットを知らせる案内メッセージと一緒に前記提供するデータを転送する
ことを特徴とするデジタルインタフェースを通して連結された機器間の特性情報による動作制御装置。
【請求項６】
前記制御手段は、ユーザからの要請による前記他の支援可能なフォーマットで前記提供するデータを変換して転送する
ことを特徴とする請求項５記載のデジタルインタフェースを通して連結された機器間の特性情報による動作制御装置。
【請求項７】
前記他の機器は、入力信号がデジタル形態である画像表示装置またはオーディオ機器である
ことを特徴とする請求項５または６に記載のデジタルインタフェースを通して連結された機器間の特性情報による動作制御装置。
【請求項８】
前記他の機器に対して事前に定義された前記１のフォーマットは、２チャンネルの線形パルスコード変調（ＬＰＣＭ）方式のオーディオデータフォーマットである
ことを特徴とする請求項５または６に記載のデジタルインタフェースを通して連結された機器間の特性情報による動作制御装置。
【発明の詳細な説明】
【０００１】
【発明の属する技術分野】
本発明は、ＩＥＥＥ１３９４のようなデジタルインタフェースを通して連結接続された機器の特性情報に基づいて、その機器と相互連係して一緒に実行しなければならない動作を選択的に実行する動作方法及びその装置に関する。
【０００２】
【従来の技術】
図１に、ＩＥＥＥ１３９４のようなデジタルインタフェースを通して連結接続される多数の家電機器の例を示す。ＩＥＥＥ１３９４のようなデジタルインタフェースには、ＤＶＤ（Digital Versatile Disc）のような光ディスクから高画質のデジタルビデオまたは高音質のデジタルオーディオを再生できるＤＶＤ再生器１００と、デジタルビデオテープのような磁気記録媒体から高画質のデジタルビデオまたは高音質のデジタルオーディオを再生できるデジタルＶＣＲ３００と、デジタル放送信号を受信して、選択されたプログラムを復調して再生する機器に転送するセットップボックス（ＳＴＢ）４００と、デジタル衛星放送受信またはＤＶＤ再生器やデジタルＶＣＲ等から受信された高画質のビデオ及び高音質のオーディオを画像や音声を出力するデジタルテレビ２００と、高音質のデジタルオーディオを再生出力するデジタルオーディオ機器５００などが接続される。
【０００３】
ＩＥＥＥ１３９４のようなデジタルインタフェースを通して連結接続された家電機器中、ＤＶＤ再生器１００は、媒体としてＤＶＤを用いる。
【０００４】
ＤＶＤディスク記録媒体は、関連業体間に規格化作業が迅速に進められており、今後多機能動画像ディスク記録媒体として、大幅に拡散普及することが予想されている。そして、また、高画質の画像を表示できるデジタル画像表示装置であるデジタルテレビ２００は、デジタル衛星放送及びデジタル高画質ビデオをより鮮明な画像として画面に表示でき、ＤＶＤ再生器１００と一緒に広く普及することが予想されている。
【０００５】
これにより、ＤＶＤを再生するＤＶＤ再生器１００または、ＤＶＤ記録／再生器とデジタルテレビ２００を、図１のようにＩＥＥＥ１３９４のようなデジタルインタフェースを通して連結接続して用いる例が急激に増えることが期待されている。
【０００６】
一方、ＤＶＤ再生器１００は、ＭＰＥＧ方式のデジタルデータストリーム、特に、プログラムストリーム（ＰＳ）をプレゼンテーション（ＰＴ）データとナビゲーションデータ（ＮＶ）とに分けて処理するが、プレゼンテーションＰＴデータは、画像及び音声信号として出力され、一方ナビゲーションデータＮＶは、ＤＶＤ再生器の再生動作制御に用いられる。
【０００７】
しかし、デジタルテレビ２００は、ＤＶＤ再生器１００とは別に、ＭＰＥＧ方式のデジタルデータストリーム中のトランスポートストリーム（ＴＳ）をプレゼンテーションデータＰＴで信号処理して画像及び音声信号として出力するために、ＤＶＤ再生器１００からデジタルインタフェースを通して受信されるプログラムストリームＰＳをトランスポートストリームＴＳに変換して信号処理したり、またはＤＶＤ再生器１００でプログラムストリームＰＳをトランスポートストリームＴＳに変換してデジタルインタフェースを通してデジタルテレビ２００に転送しなければならない。
【０００８】
プログラムストリームとトランスポートストリームＴＳとのデータフォーマットは、次のような相違点がある。
【０００９】
プログラムストリームは、デジタルデータであるオーディオデータ、ビデオデータ及び付加情報データを一つのＰＥＳ（Packetized Elementary Stream）パケットにパックされて構成されているが、このＰＥＳパケットは、収納データの大きさによりその大きさが変更される。したがって、ＰＥＳパケットの大きさは常に同一ではなく、変化する。
【００１０】
一方、トランスポートストリームＴＳは、データストリームのサイズが固定されているパケットで構成されるが、このパケットの大きさはヘッダを含んで１８８バイトである。
【００１１】
したがって、プログラムストリームＰＳをトランスポートストリームＴＳに変換するためには、プログラムストリームＰＳの各ＰＥＳパケットをトランスポートストリームＴＳのパケットに分割しなければならない場合がある。その場合、必要なヘッダ情報が分割されて各パケットに付加される。また、一つのＰＥＳパケットが、固定されたサイズのトランスポートストリームの個々のパケットに分割されることもあり、多数のパケットに分割されることもある。その際、一つのＰＥＳパケットをすべて受容して残る最後パケットの残余区間はスタッフィング（stuffing）される。
【００１２】
前述したような変換過程を通してデジタルテレビ２００は、ＤＶＤ再生器１００から転送されるデジタルデータストリームを高画質のデジタル画像及び高音質のデジタルオーディオとして出力する。そしてディスク媒体の再生のようなＤＶＤ再生器１００の動作制御は、ＩＥＥＥ１３９４のようなデジタルインタフェースを通して連結接続されたデジタルテレビ２００を通して遠隔で制御したり、または、ＤＶＤ再生器１００で直接制御できる。
【００１３】
ところで、多機能動画像ディスク記録媒体であるＤＶＤの場合、一つのディスクに多数のタイトル（Ｔｉｔｌｅ）を記録することができて、また各タイトルごとに多様な解像度、オーディオチャネル数、及び画面表示モード（Display Mode、例；４：３、１６：９、Ｐａｎ−ｓｃａｎ、ｌｅｔｔｅｒ  ｂｏｘ）などを支援するための付加データ、そしてディスク複製可否に対する著作権情報、両面ディスクまたは片面ディスクであることを示すディスクタイプ情報などが一緒に記録され、また、それ以外にも新しい機能を支援するための情報及びデータが追加記録されて、ＤＶＤごとに多様な特性を有している。
【００１４】
これにより、最近開発されるＤＶＤ再生器には、前記ＤＶＤに記録される多数のタイトル、付加データ及び情報を利用した多様な再生方式及びそれに沿ったデータ処理が実行されるように新しい機能及び構成が追加的に備えているのが実情である。
【００１５】
しかし、ＩＥＥＥ１３９４のようなデジタルインタフェースを通してＤＶＤ再生器１００と連結接続されるデジタルテレビ２００では、前述したように多様な付加情報及び新しい機能を支援するためのデータが追加記録されているＤＶＤの特性はもちろん、ＤＶＤ再生器１００のデータ処理能力及び動作特性に対応する処理能力を備えていない場合がある。特に、低価型デジタルテレビの場合にはそれ自体の処理能力や動作特性に対する情報を記録していなかったり、機器の特性情報を相互交換するための交渉機能が備わっていない場合がある。このような場合にはＤＶＤ及びＤＶＤ再生器１００が提供する多様な方式の画像画面表示及びオーディオ出力を適切に実行できなくなる。
【００１６】
したがって、ＤＶＤまたはＤＶＤ再生器１００から正常に提供されるビデオ及びオーディオデータが、デジタルテレビ２００で変形されて非正常な状態として表示出力される場合が頻繁に生じることがある。
【００１７】
【発明が解決しようとする課題】
本発明は、前述のような問題点を解決するためになされたものであり、本発明の目的は、ＩＥＥＥ１３９４のようなデジタルインタフェースを通した要求によりデジタルテレビのような外部機器の特性情報が受信されると、それに基づいて、再生して転送するデータが、外部機器から正常に出力されているか否かを判別して、その判別結果により、要請された動作を選択的に実行して、要請により当該機器の特性情報が受信されない場合には適切に指定された方式により、要請された動作を実行する動作方法及びその装置を提供することにある。
【００１８】
【課題を解決するための手段】
前記のような目的を達成するための本発明によるデジタルインタフェースを通して連結接続された機器の特性情報による動作制御方法は、
デジタルインタフェースを通して他の機器の特性情報を要請する段階と、前記要請により前記デジタルインタフェースを通して受信される前記他の機器の特性情報を記憶する段階と、前記他の機器と連係する動作命令の受信時、前記記憶された特性情報により、その動作を選択的に実行する段階とを含むことを特徴とする。
【００１９】
また、本発明によるデジタルインタフェースを通して連結接続された機器の特性情報による動作制御装置は、デジタルインタフェースを通してデータを送受信する接続手段と、前記接続手段を通して受信される他の機器の特性情報を記憶する記憶手段と、データ記憶媒体からビデオ及び／またはオーディオデータを獲得する獲得手段と、前記他の機器と連係する動作命令の受信時、前記記憶された特性情報により、選択的に前記獲得手段をしてデータ獲得を制御せしめる制御手段と、前記獲得手段により獲得されるビデオ及び／またはオーディオデータを前記接続手段を通して前記他の機器に転送する転送手段とを含むことを特徴とする。
【００２０】
【発明の実施の形態】
以下、本発明によるデジタルインタフェースを通して連結接続された機器の特性情報による動作制御装置及び方法に対する望ましい実施形態を添付された図面を参照して詳細に説明する。
【００２１】
まず、図２は、本発明によるデジタルインタフェースを通して連結接続された機器間の特性情報による動作制御装置及び方法が適用された、ＤＶＤ再生器１００とデジタルテレビ２０の構成図である。ＤＶＤ再生器１００は、ＤＶＤ１に記録されたデータを読み出す光ピックアップ（Ｐ／Ｕ）２と、読み出されたデータを復調及びエラー訂正する復調部３と、復調部３の出力データに複写防止用コードを付加するスクランブラーまたは複写防止システム（Copy Protect System：ＣＰＳ）４と、複写防止用コードが付加されたデータの出力経路を選択する選択出力部５と、選択出力部５から入力されるデータストリームすなわち、プログラムストリームをプレゼンテーションＰＴデータとナビゲーションＮＶデータとに区分して、区分されたプレゼンテーションデータＰＴを再びオーディオ、ビデオ及びサブピクチャデータに分離して出力するデータ分離部（パルサー）６と、分離されたオーディオ、ビデオ及びサブピクチャデータをデコードするそれぞれのデコーダ７、８、９と、デコードされたオーディオ、ビデオ及びサブピクチャデータを組合せてデジタルオーディオ信号とビデオ信号とを出力するプレゼンテーションエンジン１０と、デジタルオーディオ信号とビデオ信号とをアナログ画像及び音声信号に各々変換出力するＤ／Ａ変換器１１、１２と、データ分離部６から区分されて分離出力されるナビゲーションデータＮＶ及びデジタルインタフェースを通して受信されたデジタルテレビ２００の特性情報により、ユーザーのキー入力に対応する再生動作を選択的に実行させたり、またはエラー案内メッセージを出力制御するマイクロコンピュータ１３と、デジタルインタフェースを通して受信されたデジタルテレビ２００の特性情報を含み、マイクロコンピュータ１３の制御動作に必要なデータを記憶するメモリ１６と、選択出力部５から出力される出力データすなわち、プログラムストリームＰＳをトランスポートストリームＴＳに変換するＰＳ／ＴＳ変換器１４と、変換されたトランスポートストリームＴＳを転送するＩＥＥＥ１３９４インタフェース部１５とを含んでいる。
【００２２】
デジタルテレビ２００は、ＤＶＤ再生器１００とのデータを送受信するＩＥＥＥ１３９４インタフェース部２１と、インタフェース部２１から受信されるトランスポートストリームＴＳを多重分離してオーディオ及びビデオデータに分離／出力する多重分離装置２３と、分離／出力されるオーディオ及びビデオデータを各々デコードしてデジタル音声信号及び画像信号で出力する各々のデコーダ２４、２５と、デジタル音声信号及び画像信号をアナログ音声及び画像信号に変換／出力するＤ／Ａ変換器２６、２７と、ユーザーのキー入力に対応して動作制御信号を出力すると同時に、ＤＶＤ再生器１００から要求される特性情報を検索及び転送するマイクロコンピュータ２２と、ＤＶＤ再生器１００から転送されるエラー案内メッセージを文字画像で出力するオンスクリーン表示部（ＯＳＤ:On Screen Display）２８と、画像信号に文字画像を合成出力する合成器３０と、マイクロコンピュータ２２の制御信号出力に必要なデータ及び特性情報を記憶するメモリ２９を含んでいる。
【００２３】
そして、図２にはＤＶＤ再生器１００及び／またはデジタルテレビ２００の動作を制御するためのユーザーキー入力手段５０も一緒に示されている。そしてＤＶＤ再生器１００のＰＳ／ＴＳ変換器１４は、デジタルテレビ２００内に収納せずに、代わりにアダプター形態で外部に連結するようにしてもよい。
【００２４】
以下、上述のように構成されたＤＶＤ再生器１００とデジタルテレビ２００との間の相互動作を詳細に説明する。
まず、ＤＶＤ１から光ピックアップ２により読み出されて復調部３で復調されるプログラムストリームＰＳが、データ分離部６により各々ＭＰＥＧフォーマットのオーディオ、ビデオ及びサブピクチャデータに分離出力されて、デコーダ７、８、９、プレゼンテーションエンジン１０及びＤ／Ａ変換器１１、１２により音声及び画像信号として出力される。また、プログラムストリームＰＳは、選択出力部５によりＰＳ／ＴＳ変換器１４にも入力される。ＰＳ／ＴＳ変換器１４は入力されるプログラムストリームＰＳをデコードしてストリーム識別字（Ｓｔｒｅａｍ＿ＩＤ）を解釈して、プログラムストリームＰＳに含まれたナビゲーションデータ、特に、プログラム再生を制御するための情報であるプログラム仕様情報（ＰＳＩ:Program Specification Information）、音声及び画像信号に該当するプレゼンテーションデータと、システムクロックデータ（ＳＣＤ）とを各々区分して分離する。
【００２５】
分離されたプログラム仕様情報（ＰＳＩ）及びシステムクロックデータは、プログラムのプレゼンテーションを制御するための情報及びシステムクロックとして用いられる。プレゼンテーションデータは、デジタルインタフェースに連結接続されたデジタルテレビ２００で信号処理可能なトランスポートストリームＴＳに変換されて、デジタルテレビ２００に転送される。これにより、デジタルテレビ２００は、トランスポートストリームの各パケットに挿入されているデータ内容を抽出して、その抽出されたデータのフォーマットがデコード要件に合う処理可能なフォーマットの場合にはそれをデコードすることにより高画質のデジタル画像画面及びオーディオを出力する。
【００２６】
一方、ＤＶＤ再生器１００に挿入されたＤＶＤ１のタイトルを再生視聴するために、ユーザーがリモコンのようなユーザーキー入力手段１００に備わった再生キーを選択入力する場合、ＤＶＤ再生器１００のマイクロコンピュータ１３は、メモリ１６に記憶されたデジタルテレビ２００の特性情報を検索確認する。特性情報は、インタフェース部２１を通してデジタルテレビ２００に予め要請して受信記憶して置く。要請された再生動作により再生及び転送されるデータストリームがデジタルテレビ２００で正常に表示及び出力されるか否かを記憶された特性情報に基づいて判別して、判別結果により、要請された再生動作を選択的に実行させる。動作に対する具体的な実施形態を、以下添付された図面を参照して詳細に説明する。
【００２７】
図３は、本発明によるデジタルインタフェースを通して連結接続された機器の特性情報による動作制御方法が適用されたＤＶＤ再生器１００の動作方法に対する流れ図を示したものである。まずＤＶＤ再生器１００に電源がオンされたりまたは、ＩＥＥＥ１３９４のようなデジタルインタフェースバス（Ｂｕｓ）にリセットが発生（Ｓ１０）されると、マイクロコンピュータ１３は、ＩＥＥＥ１３９４インタフェースを通して連結接続された周辺機器すなわち、デジタルテレビ２００のような機器との連結状態を確認（Ｓ１１）する。確認結果、デジタルテレビ２００がＩＥＥＥ１３９４インタフェースを通して連結接続されている場合、デジタルテレビの画像表示及び音声出力に対する処理能力等に対するあらゆる情報を含む特性情報を要求して受信（Ｓ１２）する。
【００２８】
特性情報を予め受信する理由は、ＤＶＤ１から再生するデータストリームが、デジタルテレビ２００で正常に表示出力できるかどうかを再生動作以前に判別するためである。ＤＶＤ再生器１００のマイクロコンピュータ１３がＩＥＥＥ１３９４インタフェース部１５を通して連結接続されたデジタルテレビ２００のマイクロコンピュータ２２に特性情報要求信号またはコマンドを転送すると、デジタルテレビ２００のマイクロコンピュータ２２は、メモリ２９に記憶された特性情報すなわち、デジタルテレビの画像表示及び音声出力に対するあらゆる情報が記録される記述子情報を検索して読み出し、ＤＶＤ再生器１０のマイクロコンピュータ１３に転送する。
【００２９】
このように、デジタルインタフェースを通して要求して受信されたデジタルテレビ２００の特性情報は、ＤＶＤ再生器１００のメモリ１５またはマイクロコンピュータ１３の内部メモリに記憶される。このような状態で、キー入力手段５０を通してＤＶＤタイトル再生動作キーが入力されて受信（Ｓ１３）されると、マイクロコンピュータ１３は、要請された再生動作により獲得されるデータの特性とメモリ１６に記憶されたデジタルテレビ２００の特性情報すなわち、記述子情報を読出して比較し、再生して転送するビデオまたはオーディオデータストリームがデジタルテレビ２００で正常に画面表示または音声出力できるか否かを判別（Ｓ１４）する。
【００３０】
例えば、再生して転送するＤＶＤタイトルのビデオデータがＨＤ−ＴＶ（High Definition-TV）に対応する‘１２８０×１０８０’の超高画質のビデオデータであり、デジタルテレビ２００の画像画面が‘７０４×４０８’の画質を有する通常の解像度を有する場合、マイクロコンピュータ１３は、転送される超高画質ビデオデータがデジタルテレビ２００で正常でなく出力されると判別して、これを案内するエラーメッセージを出力（Ｓ１７）する。
【００３１】
その後、ユーザーがエラーメッセージに対する詳細情報を要求する場合、メモリ１６に記憶されたデジタルテレビの特性情報でビデオ画像出力に対する処理能力に対する情報を検索（Ｓ１９）して、検索されたデジタルテレビのビデオ画像処理能力と、再生要請されたＤＶＤタイトルの画質情報を詳細に示す詳細情報メッセージを転送（Ｓ２０）して、表示する。
【００３２】
一方、Ｓ１４での判別結果、ＤＶＤタイトルから再生及び転送されるビデオデータが、デジタルテレビ２００の画像画面に該当する‘７０４×４０８’の画質を有する通常の高画質ビデオデータであった場合、マイクロコンピュータ１３は、転送されたビデオデータがデジタルテレビ２００で正常に出力されると判別して、要請された再生動作を実行（Ｓ１５）して再生されるビデオデータストリームをＩＥＥＥ１３９４インタフェース部１５を通して転送（Ｓ１６）する。
【００３３】
図４に、エラーメッセージと詳細情報メッセージとを示しているデジタルテレビ２００の画像画面の例を示した。エラーメッセージと詳細情報メッセージとを同時に転送出力することもできる。
【００３４】
このように、ＤＶＤ再生器１００は、電源オンまたはデジタルインタフェースバスのリセット時、ＩＥＥＥ１３９４デジタルインタフェースバスに連結接続された周辺機器であるデジタルテレビ２００のような家電機器の特性情報を要求して、受信したあと記憶しておいて、記憶された特性情報により、要請された再生動作を選択的に実行させたり、またはエラー案内メッセージを出力することにより、再生して転送するデータが正常でなく表示出力されることを根本的に防止できるようにした。
【００３５】
図５は、本発明によるデジタルインタフェースを通して連結接続された機器の特性情報による他の動作制御方法が適用された、ＤＶＤ再生器１００の動作方法に対する流れ図を示したものである。
【００３６】
図３を参照して前述したように、ＤＶＤ再生器１００に電源がオンされるか、または、ＩＥＥＥ１３９４のようなデジタルインタフェースバスにリセットが発生（Ｓ３０）すると、マイクロコンピュータ１３は、ＩＥＥＥ１３９４インタフェースを通して連結接続されたデジタルテレビ２００のような機器との連結状態を確認（Ｓ３１）した後、デジタルテレビの画像表示及び音声出力に対する処理能力等に対するあらゆる情報を含む特性情報を要求して受信（Ｓ３２）し、その受信したるデジタルテレビの特性情報をメモリ１６に記憶する。
【００３７】
その後、キー入力手段５０を通してＤＶＤ再生器１００のＤＶＤタイトルに対する再生動作キーが入力受信（Ｓ３３）されると、要請された再生動作とメモリ１６に記憶されたデジタルテレビ２００の特性情報すなわち、記述子情報を読み出して比較して、再生して転送するビデオ及び／またはオーディオデータストリームがデジタルテレビ２００で正常に画面表示または音声出力されるか否かを判別（Ｓ３４）する。
【００３８】
例えば、ＤＶＤ１で再生して転送するオーディオデータが、マルチーチャンネルのＬＰＣＭ（Liner Pulse Code Modulation）データであり、デジタルテレビ２００で処理するオーディオデータがＡＣ３方式のオーディオデータの場合、マイクロコンピュータ１３は、現在の動作モードが自動変更モード（Auto-Change Play Mode）であるかどうか、すなわち外部機器の特性に適切なオーディオまたはビデオデータに自動変更して再生転送するモードであるのか否かを確認（Ｓ３７）する。現在の動作モードが自動変更モードの場合には、再生されるＬＰＣＭオーディオデータをＡＣ３フォーマットのオーディオデータに変換（Ｓ３８）して、転送して、これを案内する案内メッセージを転送（Ｓ３９）して、デジタルテレビ２００画面上に図６に示したような案内メッセージを出力表示する。
【００３９】
一方、確認（Ｓ３７）された現在の動作モードが自動変更モードではない場合には、転送されたＬＰＣＭデコード方式のオーディオデータがデジタルテレビ２００で非正常に処理出力されると判別して、これを案内するエラーメッセージを出力（Ｓ４０）する。ユーザーがエラーメッセージに対する詳細情報を要求（Ｓ４１）する場合、メモリ１６に記憶されたデジタルテレビの特性情報で、オーディオデコード方式に対する情報を検索（Ｓ４２）して、検索されたオーディオデコード方式とＤＶＤ１の再生オーディオフォーマットとに対する詳細情報メッセージを転送（Ｓ４３）して、画面に表示する。
【００４０】
一方、Ｓ３４で判別の結果、ＤＶＤタイトルから再生して転送するオーディオデータのフォーマットが、デジタルテレビ２００におけるオーディオデコード方式であるＡＣ３フォーマットと一致する場合、マイクロコンピュータ１３は、転送するオーディオデータがデジタルテレビ２００で正常にデコードされて出力されると判別して、要請された再生動作を実行（Ｓ３５）して、再生されたオーディオデータストリームをＩＥＥＥ１３９４インタフェース部１５を通して転送（Ｓ３６）する。
【００４１】
このように、ＤＶＤ再生器１００では、電源オンまたはデジタルインタフェースバスのリセット時、ＩＥＥＥ１３９４デジタルインタフェースバスに連結接続された周辺機器であるデジタルテレビ２００のような家電機器の特性情報を要求して受信して記憶しておいて、記憶された特性情報により、要請された再生動作を選択的に実行させたり、またはエラー案内メッセージを出力したり、または、記憶された特性情報により、データ変換動作を追加で実行して、再生して転送するデータが非正常に表示されることを根本的に防止できるようにする。
【００４２】
今まではＤＶＤ再生器１００が要請したデジタルテレビ２００の特性情報を受信した場合に実行される動作方法を説明した。以下では特性情報が受信されない場合に実行される動作方法を図７で説明する。
【００４３】
図７の流れ図は、オーディオデータに対するものであり、ビデオデータの場合にも同一に適用される。そして図７の流れ図を説明するために、デジタルテレビ２００は、単純に高画質の画像及び高音質のオーディオを画面表示して出力するように製造された低価型モデルであり、それ自体のデータ処理及び表示能力に対する特性情報を有していなかったり、他の機器との特性情報交換のための機能を備えていないと仮定する。
【００４４】
このような状態で、装置の初期化またはインタフェースバスの初期化時に連結された機器に対する特性情報を要求する（Ｓ８０−Ｓ８２）。この過程は前述したことと同一である。
【００４５】
特性情報要求後に各機器からの特性情報が受信されているか否かを確認するが（Ｓ８３）、もしもデジタルテレビ２００から特性情報が受信されると前述した図３のＳ１３〜Ｓ２０または図５のＳ３３〜Ｓ４３の段階を実行（Ｓ９０）する。しかし、特性情報が受信されないので、マイクロコンピュータ１３はデジタルテレビ２００から特性情報が受信されなかったことを記憶する。
【００４６】
以後ユーザーから再生動作が要請受信されると（Ｓ８４）、要請された再生動作の先に、ＤＶＤ再生器１００は、特性情報がない場合に処理しなければならない方式を指定している情報をメモリ１６で検索して、その情報で指定しているフォーマット、すなわちデジタルテレビのような装置に適用することができるフォーマットの中、低級のまたは、最低級のフォーマットのオーディオデータ、例えば、２チャネルＬＰＣＭ方式のオーディオデータの形態で転送する（Ｓ８５）。それと同時に、それを案内する案内メッセージを出力する（Ｓ８６）。この時、必要であれば再生データを２チャネルＬＰＣＭオーディオデータに変換する。そして、案内メッセージは、デジタルテレビに転送される転送オーディオデータが、前記のように線形パルスコード変調（ＬＰＣＭ:Linear Pulse Code Modulation）方式の２チャネルオーディオであることを知らせるためのものであり、ＤＶＤ再生器１００に備わったＬＣＤ表示窓に表示されたり、または図８に示した例のように、現在転送しているオーディオフォーマットと支援可能なオーディオフォーマットとを一緒に画像データとして構成してデジタルインタフェースを通して連結されたデジタルテレビの画面に表示することもできる。
【００４７】
これにより、ユーザーは、自身が視聴しているデジタルテレビの画面を通して、現在ＤＶＤ再生器１００から転送されるオーディオデータのフォーマットを容易に確認することができるので、メモリ１６に予め指定されたデジタルテレビ用出力フォーマットがデジタルテレビと合わないために、オーディオ信号が正常に出力されない場合、支援可能なフォーマット中のデジタルテレビの入力データフォーマットに合うオーディオデータに変換して転送するようにＤＶＤ再生器１００に要請することができる（Ｓ８７）。
【００４８】
例えば、図８に示した画面表示される案内メッセージを通して転送オーディオデータを線形パルスコード変調（ＬＰＣＭ）方式の２チャネルオーディオで、ＡＣ３オーディオデータに変更したり、または、ＭＰＥＧ  Ｉのレイヤー２またはレイヤー３のフォーマットに変更要請できる。これによりデジタルテレビ２００のフォーマットに合うオーディオデータがＤＶＤ再生器１００で転送されるので（Ｓ８８）デジタルオーディオ信号が正常に出力される。
【００４９】
もしも、ＤＶＤ再生器１００から転送されるオーディオデータを正常に信号処理できない場合、デジタルテレビ２００は図９に示した例のように、これを知らせる案内メッセージと、それ自体が支援可能なフォーマットのオーディオデータを示す案内メッセージを画面表示することもできる。このような場合にはユーザーはデジタルテレビ２００上で他の支援可能なフォーマットを選択しながら、ＤＶＤ再生器１００から転送されたオーディオデータが正常なオーディオ信号で出力されるかをどうか確認して、正常なオーディオ信号が出力される場合にはそのフォーマットを入力オーディオフォーマットに指定してデコードするように設定する。
【００５０】
一方、前述のような方式でオーディオデータを転送するＤＶＤ再生器１００は、デジタルインタフェースを通して多様なデジタル家電機器と連結されることができるが、もしも、画像ディスプレーが不可能なデジタルオーディオ機器に再生オーディオデータを転送する場合には、図８のように表示される案内メッセージを音声形態で転送することができ、またオーディオ機器の特性情報を受信できない場合にも、オーディオ機器に対して予め指定しておいた方式のオーディオデータ形態で転送することは前述したことと完全同一である。
【００５１】
【発明の効果】
詳述したように、本発明によるデジタルインタフェースを通して連結接続された機器間の特性情報による相互動作方法及びその装置は、インタフェースを通して連結された家電機器が相互動作によりユーザーが所望する動作を実行する時、相互機能や処理能力が相異しても相対側の最大能力に合わせたり、最も普遍的な機能に合わせてその動作を実行したり、または実行されない原因を知らせることによりユーザーの便宜性を向上させる。
【図面の簡単な説明】
【図１】  ＩＥＥＥ１３９４のようなデジタルインタフェースを通して連結された多数の機器の例を示したことである。
【図２】  本発明によるデジタルインタフェースを通して連結された機器間の特性情報による動作方法が適用されたＤＶＤ再生器とデジタルテレビに対する構成図を示したことである。
【図３】  本発明によるデジタルインタフェースを通して連結された機器間の特性情報による動作方法が適用されたＤＶＤ再生器における再生動作に対する流れ図を示したことである。
【図４】  本発明により他の機器に提供される送信データの特性に対する案内メッセージの一例を示したことである。
【図５】  本発明によるデジタルインタフェースを通して連結された機器間の特性情報によるまた他の動作方法が適用されたＤＶＤ再生器における再生動作に対する流れ図を示したことである。
【図６】  本発明によるまた他の案内メッセージに対する画像画面の表示例を示したことである。
【図７】  本発明によるデジタルインタフェースを通して連結された機器間の特性情報によるまた他の動作方法が適用されたＤＶＤ再生器における再生動作に対する流れ図を示したことである。
【図８】  本発明により他の機器に提供される送信データのフォーマットに対する案内メッセージの一例を示したことである。
【図９】  画像表示装置が受信データの処理不可時に表示する案内メッセージの形態の例を示したことである。
【符号の説明】
１：ＤＶＤ
２：光ピックアップ（Ｐ／Ｕ）
３：復調部
４:スクランブラー
５:選択出力部
６:データ分離部
７、８、９:デコーダ
１０:プレゼンテーションエンジン
１１、１２:Ｄ／Ａ変換器
１３、２２:マイクロコンピュータ
１４:ＰＳ／ＴＳ変換器
１５、２１:ＩＥＥＥ１３９４インタフェース
１６、２９:メモリ
２３:多重分離装置
２４、２５:デコーダ
２６、２７:Ｄ／Ａ変換器
２８:オンスクリーン表示部
３０:合成器
１００:ＤＶＤ再生器
２００:デジタルテレビ
３００:デジタルＶＣＲ
４００:セットップボックス
５００:デジタルオーディオ
【図１】
0004312934.tif 000002
【図２】
0004312934.tif 000003
【図３】
0004312934.tif 000004
【図４】
0004312934.tif 000005
【図５】
0004312934.tif 000006
【図６】
0004312934.tif 000007
【図７】
0004312934.tif 000008
【図８】
0004312934.tif 000009
【図９】
0004312934.tif 000010